(57)【要約】【課題】座部に対して脊凭れ部が前方に折り畳み可能な折畳み椅子において、夫々パイプ製の座部側のベースフレームと脊凭れフレームの折畳み連結部の小型軽量化を図る。【解決手段】ベースフレーム１に設けた支持ブラケット３に脊凭れフレーム２を枢支し、該脊凭れフレームに支持ブラケット３に当接可能な当りブラケット４を設け、支持ブラケット上の板面33と当りブラケット４の板面43を面当たりで当接させて、脊凭れフレーム２の起立位置を保持する。【選択図】図１
2011072450.tif 000002
【特許請求の範囲】
【請求項１】
座部に対して脊凭れ部が前方に折り畳み可能で、座部側のパイプ製ベースフレーム(１)と背凭れ部側のパイプ製脊凭れフレーム(２)が折畳み連結部(５)によって連結されている折畳み椅子において、
ベースフレーム(１)又は脊凭れフレーム(２)の夫々左右の両サイド杆(11)(11)又は(21)(21)の前記折畳み連結部(５)側先端に支持ブラケット(３)(３)を設け、両支持ブラケット(３)(３)に、他方のフレームの左右の両サイド杆(21)(21)又は(11)(11)の先端を嵌め入れて、各支持ブラケット(３)(３)に支持したピン(６)によって脊凭れフレーム(２)を前後に起伏可能に取り付け、
支持ブラケット(３)(３)を具えない他方のフレームには、支持ブラケット(３)(３)に当接可能な当りブラケット(４)(４)を設け、
支持ブラケット(３)(３)又は当りブラケット(４)(４)の少なくとも一方のブラケットには、相手ブラケットが当接して背凭れフレーム(２)の後傾位置を規制する板面(33)又は(43)を具えている、折畳み椅子。
【請求項２】
支持ブラケット(３)、当りブラケット(４)は、何れもサイド杆(11)、(21)を挟んで左右に壁板(31)(31)又は(41)(41)を有しており、壁板(31)(31)又は(41)(41)に跨って設けた連結板(32)又は(42)が板面(33)又は(43)である、請求項１に記載の折畳み椅子。
【請求項３】
支持ブラケット(３)と当りブラケット(４)の両方に板面(33)(43)が設けられ、板面どうしの面当たりで脊凭れフレーム(２)の後傾位置を規制する、請求項１又は２に記載の折畳み椅子。
【発明の詳細な説明】
【技術分野】
【０００１】
本発明は、パイプ製のフレームを具えた折畳み椅子に関する。
【背景技術】
【０００２】
椅子の背凭れ部を座部に対して折り畳み可能とした、パイプ製のフレームを用いた折畳み椅子が知られている。
上記椅子は、図８、図９に示す如く、座部側のベースフレーム(１)と背凭れ部側の脊凭れフレーム(２)がを折畳み連結部(７)によって連結されている。
【０００３】
折畳み連結部(７)は、座部側のベースフレーム(１)の左右の両サイド杆(11)に断面コ字状のブラケット(70)を解放面が前側に向くように該サイド杆(11)の上端からはみ出して固定し、該ブラケット(70)の上端に背凭れフレーム(２)の左右の両サイド杆(21)を挿入して、ピン(71)によって前方へ回転可能に支持して構成されている。
背凭れフレーム(２)は、ブラケット(70)上端の後壁がストッパ(72)となって、それ以上の後傾が阻止される。
【発明の概要】
【発明が解決しようとする課題】
【０００４】
上記折畳み椅子は、使用者の体重等、背凭れフレーム(２)に作用する後向きの荷重は、ブラケット(70)に曲げ荷重として作用する。このため、ブラケット(70)を含むその折畳み連結部(７)を肉厚にして強度を高める、或いはブラケット(70)を上方へ長くして、背凭れフレーム(２)の回転中心であるピン(71)からストッパ(72)位置までの距離を大きくする必要がある。何れにせよ、ブラケット(70)を含む折畳み連結部(７)が大型化して重量増を来し、又、ブラケット(70)を長くすれば、脊凭れフレーム(２)を折り畳んでも、ブラケット(70)を長くした分だけ嵩高となる問題があった。
【０００５】
又、他の従来例として、ブラケットは単に背凭れフレーム取付け用であってストッパー機能はなく、ベースフレームと脊凭れフレームの夫々の左右のサイドフレームの先端どうしが突き当たることにより背凭れフレームに対するストッパとなすものもある。
この場合、ベースフレームと脊凭れフレームの互いのサイドフレームどうしの先端部の突合せにずれが生じた場合、即ち、パイプの先端どうしの突合せにずれが生じた場合、突合せが安定せず、無理な力が生じてパイプ先端部が変形する等の不都合が生じる。
【０００６】
本発明は、上記問題を解決できる、折畳み椅子を明らかにするものである。
【課題を解決するための手段】
【０００７】
座部に対して脊凭れ部が前方に折り畳み可能で、座部側のパイプ製ベースフレーム(１)と背凭れ部側のパイプ製脊凭れフレーム(２)が折畳み連結部(５)によって連結されている折畳み椅子において、
ベースフレーム(１)又は脊凭れフレーム(２)の夫々左右の両サイド杆(11)(11)又は(21)(21)の前記折畳み連結部(５)側先端に支持ブラケット(３)(３)を設け、両支持ブラケット(３)(３)に、他方のフレームの左右の両サイド杆(21)(21)又は(11)(11)の先端を嵌め入れて、各支持ブラケット(３)(３)に支持したピン(６)によって脊凭れフレーム(２)を前後に起伏可能に取り付け、
支持ブラケット(３)(３)を具えない他方のフレームには、支持ブラケット(３)(３)に当接可能な当りブラケット(４)(４)を設け、
支持ブラケット(３)(３)又は当りブラケット(４)(４)の少なくとも一方のブラケットには、相手ブラケットが当接して背凭れフレーム(２)の後傾位置を規制する板面(33)又は(43)を具えている。
【発明の効果】
【０００８】
折り畳んだ背凭れ部を起こすと、ベースフレーム(１)と脊凭れフレーム(２)の夫々左右の両サイド杆(11)(11)、(21)(21)に設けた支持ブラケット(３)(３)と当りブラケット(４)(４)が当接する。両ブラケット(３)(４)の内、少なくとも一方のブラケットには、相手ブラケットが当接する板面を具えているから、支持ブラケット(３)と当りブラケット(４)に突合せ方向と直交する面内で位置ずれが生じていても、突き合わせる少なくとも一方は板面であるから、該板面が位置ずれをカバーして両ブラケットを安定して突き合わせることができる。
【０００９】
両ブラケット(３)(４)の突合せ部が板面であり、板面どうしの突合せであれば突合せが一層安定する。
又、脊凭れフレーム(２)に作用する荷重が、折畳み連結部(５)には圧縮荷重として作用するから、図８、図９の従来例の様に、脊凭れフレーム(２)の荷重がブラケット(70)に曲げ荷重として作用する場合に較べて、折畳み連結部(５)を小型軽量にできる。
【図面の簡単な説明】
【００１０】
【図１】使用状態におげるベースフレームと脊凭れフレームの斜視図である。
【図２】折畳み状態におけるべースフレームと脊凭れフレームの斜視図である。
【図３】べースフレームと脊凭れフレームの折畳み連結部の斜視図である。
【図４】使用状態におけるべースフレームと脊凭れフレームの側面図である。
【図５】折畳み状態におけるべースフレームと脊凭れフレームの側面図である。
【図６】他の実施例の使用状態におけるべースフレームと脊凭れフレームの側面図である。
【図７】同上の折畳み状態におけるべースフレームと脊凭れフレームの側面図である。
【図８】従来例の使用状態におけるべースフレームと脊凭れフレームの側面図である。
【図９】同上の折畳み状態におけるべースフレームと脊凭れフレームの側面図である。
【発明を実施するための形態】
【００１１】
実施例の折畳み椅子は、揉み玉式マッサージ装置、エアーバッグ式マッサージ装置等のマッサージ装置を具えた椅子式マッサージ機の椅子に実施する折畳み椅子である。
該折畳み椅子は、座部、座部に対して前側に折り畳み可能な背凭れ部及び肘掛け部を有するが、以下の説明では、それらのフレームについて説明し、フレームを覆うクッション材、カバー布、マッサージ装置については、公知であり、図示、説明は省略する。
又、以下の説明及び前述の背景技術の説明で「前」とは座部側、「後」とは起立状態の背凭れ部側である。
【００１２】
座部側のベースフレーム(１)は、左右にサイド杆(11)(11)を有し、各サイド杆(11)は、前後に略水平に延びる中間部(13)、中間部(13)の前端から前方へ斜め下向きに短く延びる前部(12)、中間部(13)の後端から後方へ斜め上向きに延びる後部(14)からなる。
両サイド杆(11)の前部(12)(12)どうし、中間部(13)(13)どうし、及び後部(14)(14)どうしが夫々前ステー杆(15)、中間ステー杆(16)、後ステー杆(17)で繋がっている。
中間部(13)と後部(14)に跨って、肘掛け用フレーム(18)を具えている。
【００１３】
脊凭れフレーム(２)は、左右のサイド杆(21)(21)と、両サイド杆(21)(21)の上端どうしを繋ぐアーチ杆(22)からなり、アーチ杆(22)の両側がステー杆(23)で繋がっている。
【００１４】
上記ベースフレーム(１)及び脊凭れフレーム(２)は、金属パイプで形成されている。    ベースフレーム(１)及び脊凭れフレーム(２)には、座部と背凭れ部の掛かる荷重を受け且つクッションを付与するための複数のバネ(８)が張設されている。
【００１５】
脊凭れフレーム(２)の両サイド杆(21)(21)の下端が、折畳み連結部(５)を介して、ベースフレーム(１)の両サイド杆(11)(11)の後部上端に前方へ折り畳み可能に連結されている。
【００１６】
折畳み連結部(５)は、ベースフレーム(１)のサイド杆(11)に設けた支持ブラケット(３)と、該支持ブラケット(３)に支持され脊凭れフレーム(２)のサイド杆(21)を貫通した回転支持ピン(６)と、該サイド杆(21)に設けた当りブラケット(４)とによって構成される。
【００１７】
支持ブラケット(３)は、平行な縦長の壁板(31)(31)の上端間を連結板(32)で繋いでコ字状に形成され、両壁板(31)(31)によってサイド杆(11)の後部(14)の上端を左右から挟み、連結板(32)の上面が該後部(14)の軸芯と直交する面に一致する様に、該後部(14)に、溶接、ネジ止め等により固定される。
連結板(32)の前部には、脊凭れフレーム(２)のサイド杆(21)が、上記ベースフレーム(１)のサイド杆(11)(11)の後部(14)の延長上に揃うことを許容するための切欠(34)が開設されている。
【００１８】
上記切欠(34)に接近して、支持ブラケット(３)の両壁板(31)(31)に跨って回転支持ピン(６)が装着される。
【００１９】
脊凭れフレーム(２)のサイド杆(21)の先端は、上記支持ブラケット(３)の壁板(31)(31)間に嵌まって回転支持ピン(６)によって前後方向に回転可能に支持される。
【００２０】
上記脊凭れフレーム(２)のサイド杆(21)には、支持ブラケット(３)に接近して当りブラケット(４)が設けられる。
当りブラケット(４)は、ベースフレーム(１)のサイド杆(11)の後部(14)の軸芯に対して、脊凭れフレーム(２)のサイド杆(21)の軸芯が一直線上に一致した状態で支持ブラケット(３)に当接して、脊凭れフレーム(２)のそれ以上の後傾を阻止する役割を成すものである。
【００２１】
当りブラケット(４)は、平行な縦長の壁板(41)(41)の下端間を連結板(42)で繋いでコ字状に形成され、壁板(41)(41)によってサイド杆(21)の下端を左右から挟み、連結板(42)の下面が該サイド杆(21)の中心軸と直交する面に一致する様に、該サイド杆(21)に、溶接、ネジ止め等により固定される。
連結板(42)には、サイド杆(21)が食い込むための切欠(44)が開設されている。
【００２２】
支持ブラケット(３)の連結板(32)と、当りブラケット(４)の連結板(42)の板面(33)(43)どうしが当接した状態で、ベースフレーム(１)のサイド杆(11)の後部(14)の軸芯に対して、脊凭れフレーム(２)のサイド杆(21)の軸芯が一致した状態となり、脊凭れフレーム(２)のそれ以上の後傾は阻止される。
【００２３】
然して、座部に重なる様に折り畳んだ背凭れ部を起こすと、ベースフレーム(１)と脊凭れフレーム(２)の夫々左右の両サイド杆(11)(11)、(21)(21)に設けた支持ブラケット(３)(３)と当りブラケット(４)(４)が当接する。前記の如く、両ブラケット(３)(４)の板面(33)(43)どうしが当接するから、両ブラケット(３)(４)が板面(33)に沿う方向に少し位置ずれしていても、該板面(33)(43)が該位置ずれをカバーして両ブラケット(３)(４)を安定して突き合わせることができる。
【００２４】
又、脊凭れフレーム(２)に作用する荷重が、折畳み連結部(５)には圧縮荷重として作用するから、図８、図９の従来例の様に、脊凭れフレーム(２)の荷重がブラケット(70)に曲げ荷重として作用する場合に較べて、折畳み連結部(５)を小型軽量にできる。
【００２５】
又、両ブラケット(３)(４)の当接面である板面(33)(43)を有する連結板(32)(42)は、何れもサイド杆(11)(21)上の壁板(31)(31)、(41)(41)によって両持ち支持されているから、連結板(32)(42)がサイド杆(11)(21)に対して傾いたり、取付け位置に狂いが生じることを防止できる。
【００２６】
図６は、脊凭れフレーム(２)に支持ブラケット(３)、ベースフレーム(１)に当りブラケット(４)を設け、支持ブラケット(３)上の回転支持ピン(６)をベースフレーム(１)のサイド杆(11)の後端に貫通させて、脊凭れフレーム(２)をベースフレーム(１)に折り畳み可能に取り付けた他の実施例を示している。
前記と同様にして、脊凭れフレーム(２)を起こした状態にて、支持ブラケット(３)と当りブラケット(４)は板面どうしが当接して、脊凭れフレーム(２)の起立状態を保持する。
【００２７】
本発明の実施において、脊凭れフレーム(２)が起立した状態における、支持ブラケット(３)と当りブラケット(４)の当接部は、少なくても一方が板面であればよい。この場合、支持ブラケット(３)と当りブラケット(４)に突き当て方向に対して直交する面で位置ずれが生じていても、突き合わせる少なくとも一方は板面であるから、該板面が該位置ずれをカバーして両ブラケットを安定して突合せることができる。
【００２８】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【符号の説明】
【００２９】
１  ベースフレーム
11  サイド杆
２  脊凭れフレーム
21  サイド杆
３  支持ブラケット
31  壁板
32  連結板
33  板面
４  当りブラケット
41  壁板
42  連結板
43  板面
５  折畳み連結部
【図１】
2011072450.tif 000003
【図２】
2011072450.tif 000004
【図３】
2011072450.tif 000005
【図４】
2011072450.tif 000006
【図５】
2011072450.tif 000007
【図６】
2011072450.tif 000008
【図７】
2011072450.tif 000009
【図８】
2011072450.tif 000010
【図９】
2011072450.tif 000011